(57)【要約】【課題】画像の表示中に、テキストデータを入力でき、そのテキストデータに関する画像を画像表示装置に表示し、利便性を向上することができる映像出力装置を提供する。【解決手段】画面１６ｂ１に映像信号に基づく画像を表示させると共に、ＯＳＤ表示信号を映像信号に合成して画面１６ｂ１に所定のＯＳＤ画像を表示させる液晶テレビジョン装置１００において、テキストデータを入力可能な入力デバイスとしてのリモコン２３と、映像信号に基づく画像の表示中に、リモコン２３により入力されたテキストデータをＯＳＤ画像として画面１６ｂ１に表示するＯＳＤ表示手段とを、備える構成としてある。【選択図】図４
2009290335.tif 000002
【特許請求の範囲】
【請求項１】
画像表示装置に映像信号に基づく画像を表示させると共に、ＯＳＤ表示信号を該映像信号に合成して該画像表示装置に所定のＯＳＤ画像を表示させる映像出力装置であって、
テキストデータを入力可能な入力デバイスと、
上記映像信号に基づく画像の表示中に、上記入力デバイスにより入力されたテキストデータをＯＳＤ画像として上記画像表示装置に表示するＯＳＤ表示手段と
を、備えることを特徴とする映像出力装置。
【請求項２】
上記ＯＳＤ画像の表示と非表示とを切り替える表示切替手段を更に備えることを特徴とする請求項１に記載の映像出力装置。
【請求項３】
上記ＯＳＤ画像を所定の画像形式にて外部記憶装置に保存する外部保存手段を更に備えることを特徴とする請求項１または２に記載の映像出力装置。
【請求項４】
上記ＯＳＤ表示手段は、複数種類のテキストデータを各々ＯＳＤ画像データに変換して記憶し、複数種類のテキストデータに基づく上記各ＯＳＤ画像を選択的に表示可能であることを特徴とする請求項１乃至３の何れかに記載の映像出力装置。
【請求項５】
上記ＯＳＤ表示手段は、上記ＯＳＤ画像の表示位置を移動可能であることを特徴とする請求項１乃至４の何れかに記載の映像出力装置。
【請求項６】
上記画像表示装置に備えられており、
上記ＯＳＤ表示手段を有するマイコンと、該マイコンから入力される制御信号に従って画像表示装置に所定のＯＳＤ画像を表示させるためのＯＳＤ表示信号を上記映像信号に合成するＯＳＤ回路とを備え、
上記マイコンは、上記テキストデータをＯＳＤ画像データに変換して保存し、ユーザ操作に従って上記ＯＳＤ画像の表示と非表示とを切り替えることを特徴とする請求項１に記載の映像出力装置。 
【発明の詳細な説明】
【技術分野】
【０００１】
本発明は、画像表示装置に所定のＯＳＤ画像を表示させることができる映像出力装置に関する。
【背景技術】
【０００２】
入力装置から入力された文字情報（テキストデータ）をテレビなどの表示装置に表示することが良く知られている。
例えば、特許文献１には、リモコンなどの操作スペースに限られた操作入力装置からテレビなどの表示装置に対して文字情報などの入力操作を行えるようにする情報入力システムが開示されている。
また、特許文献２には、テレビ等の画面のスペースを犠牲にすることなく文字入力を行うことが開示され、画面に表示された複数文字の中から必要な文字をリモコンによってカーソルを動かして指定して入力するリモコンによる文字入力装置が開示されている。
また、特許文献３には、マイコンは使用者のＯＳＤのキー入力があるかを判別して、使用者のＯＳＤのキー入力が無い場合には一般的なＴＶのキー機能を遂行するようになり、使用者のＯＳＤのキー入力がある場合には入力される使用者のＯＳＤに文字情報をセッティングするＴＶのパワーオフ時のメッセージディスプレイ方法が開示されている。
【特許文献１】特開２００７−６６０３１号公報
【特許文献２】特開平９−２８９５９５号公報
【特許文献３】特開平５−１７６２４８号公報
【発明の開示】
【発明が解決しようとする課題】
【０００３】
ところで、画像表示装置の画面に表示された画像（映像）を視聴中に、気になったことをメモとして残したい場合がある。例えば、気になったことを画面上にメモとして残すことができれば利便性が向上すると思われる。
しかしながら、視聴中に気になったことを画面上にメモとして残すような構成を具備する装置は未だ提案されていない。
【０００４】
本発明は上記課題に鑑みて為されたもので、その目的とするところは、画像の表示中に、テキストデータを入力でき、そのテキストデータに関する画像を画像表示装置に表示し、利便性を向上することができる映像出力装置を提供することにある。
【課題を解決するための手段】
【０００５】
上記目的を達成するための本発明は、画像表示装置に映像信号に基づく画像を表示させると共に、ＯＳＤ表示信号を該映像信号に合成して該画像表示装置に所定のＯＳＤ画像を表示させる映像出力装置であって、テキストデータを入力可能な入力デバイスと、上記映像信号に基づく画像の表示中に、上記入力デバイスにより入力されたテキストデータをＯＳＤ画像として上記画像表示装置に表示するＯＳＤ表示手段とを、備える構成としてある。
【０００６】
上記のように構成された本発明の映像出力装置において、上記映像信号に基づく画像（映像）の表示中に入力デバイスを介してテキストデータの入力が可能になる。そして、画像の表示中に入力デバイスによりテキストデータが入力されると、ＯＳＤ表示手段によりそのテキストデータがＯＳＤ画像として上記画像表示装置に表示される。これにより、画像の視聴中に画像表示装置の画面上にメモを表示（記録）することができる。例えば、映像の視聴中に気になったことや疑問に思ったことなどを画像表示装置の画面上にメモとして残すことができる。
【０００７】
また、好適には、上記ＯＳＤ画像の表示と非表示とを切り替える表示切替手段を更に備える構成としても良い。このように構成されることで、例えばユーザの好みに応じて画面上のメモを表示したり非表示にしたりできる。
【０００８】
また、好適には、上記ＯＳＤ画像を所定の画像形式にて外部記憶装置に保存する外部保存手段を更に備える構成としても良い。このように構成されることで、画面上に表示したメモを外部記憶装置に保存して持ち出すことができる。
【０００９】
また、好適には、上記ＯＳＤ表示手段は、複数種類のテキストデータを各々ＯＳＤ画像データに変換して記憶し、複数種類のテキストデータに基づく上記各ＯＳＤ画像を選択的に表示可能である構成としても良い。このように構成されることで、画像の視聴中に複数のテキストデータの入力が可能になる。そして、その複数のテキストデータがＯＳＤ画像として選択的に画像表示装置に表示される。これにより、画像の視聴中に複数のメモを記録し、選択的に表示することができる。
【００１０】
また、好適には、上記ＯＳＤ表示手段は、上記ＯＳＤ画像の表示位置を移動可能である構成としても良い。このように構成されることで、例えばユーザは視聴している画像に影響しない位置にＯＳＤ画像を移動することができる。
【００１１】
また、好適には、上述した発明を具現化する態様として、上記画像表示装置に備えられており、上記ＯＳＤ表示手段を有するマイコンと、該マイコンから入力される制御信号に従って画像表示装置に所定のＯＳＤ画像を表示させるためのＯＳＤ表示信号を上記映像信号に合成するＯＳＤ回路とを備え、上記マイコンは、上記テキストデータをＯＳＤ画像データに変換して保存し、ユーザ操作に従って上記ＯＳＤ画像の表示と非表示とを切り替える構成としても良い。このように構成されることで、例えば薄型液晶テレビ等の画像表示装置において、画像の視聴中に画面上にメモを表示（記録）することができる。
【発明の効果】
【００１２】
以上説明したように、本発明によれば、画像の視聴中に画像表示装置の画面上にメモを記録することができるので、利便性を向上することができる映像出力装置が提供される。
【００１３】
また、本発明によれば、例えばユーザの好みに応じて画面上のメモを表示したり非表示にしたりできるので、より利便性が向上させられる。
また、本発明によれば、画面上に記録したメモを外部記憶装置に保存して持ち出すことができるので、例えばパソコンやプリンタ等の他の機器にて活用（印刷）することができ、より利便性が向上させられる。
また、本発明によれば、画像の視聴中に複数のメモを記録し、選択的に表示することができるので、より利便性が向上させられる。
また、本発明によれば、例えばユーザは視聴している画像に影響しない位置にＯＳＤ画像を移動することができるので、より利便性が向上させられる。
【発明を実施するための最良の形態】
【００１４】
以下、図面にもとづいて本発明の実施形態を説明する。
（１）映像出力装置を備える画像表示装置の概略構成
（２）ＯＳＤ画像の表示作動
（３）変形例
（４）まとめ
【００１５】
（１）映像出力装置を備える画像表示装置の概略構成
以下、図１、２を参照して本発明が適用される映像出力装置を備えた画像表示装置の一例である液晶テレビジョン装置１００の概略構成を説明する。図１は液晶テレビジョン装置１００を示す斜視図であり、図２は液晶テレビジョン装置１００のブロック構成図である。
尚、本実施例では画像表示装置として液晶テレビジョン装置を例示するが、この実施形態に限定されるものではなく、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置等であれば、本発明の要旨を逸脱しない範囲で種々の変形実施の形態が可能である。すなわち、映像信号に基づく画像を表示させる映像出力装置を備えておれば本発明は適用され得る。
また、必ずしも映像を表示する表示画面を備えている必要はなく、画像表示装置に映像信号に基づく画像を表示させる例えばＤＶＤプレーヤやＶＴＲ等の映像出力装置を備えるオーディオ・ビジュアル機器等にも本発明は適用され得る。
【００１６】
図１、２において、液晶テレビジョン装置１００は、筐体１０と、チューナ１１と、フロントエンド１２と、デコーダ１３と、ＯＳＤ回路１４と、音声出力部１５と、画像表示部１６と、リモコン受信部１７と、マイコン１８と、電源回路１９と、記憶部２０とを備えている。これらマイコン１８等の各部は、バス２１にて接続されている。
尚、本実施例では、チューナ１１、フロントエンド１２、デコーダ１３、ＯＳＤ回路１４、リモコン受信部１７、マイコン１８、電源回路１９、記憶部２０等を主体として映像出力装置が構成される。
【００１７】
筐体１０は、例えばフロントキャビネット１０ａとリアキャビネット１０ｂとから構成され、画像を表示する薄型表示パネルとしての液晶パネル１６ｂ等を内部に収容する。フロントキャビネット１０ａは、画像を表示する薄型表示パネルとしての液晶パネル１６ｂを表示面（画面）１６ｂ１側から覆いつつ略矩形の開口部１０ａ１から画面１６ｂ１を外部に露見させる略矩形状の樹脂製枠である。リアキャビネット１０ｂは、フロントキャビネット１０ａに画面１６ｂ１裏側から合わさることで筐体１０を構成する。
【００１８】
チューナ１１は、例えばアンテナ２２と接続されており、マイコン１８から入力される制御信号に従って、アンテナ２２で受信されるテレビジョン放送信号の中から１つのチャンネル（例えばユーザによって選局されたチャンネル）に対応するテレビジョン放送信号を取得してフロントエンド１２に出力する。
フロントエンド１２は、例えばマイコン１８から入力される制御信号に従って、チューナ１１から出力されたテレビジョン放送信号を中間周波信号に変換して、デコーダ１３に出力する。
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
ＯＳＤ回路１４は、例えばマイコン１８から入力される制御信号に従って、画像表示部１６に所定のＯＳＤ（オンスクリーンディスプレイ）画像を表示させるためのＯＳＤ表示信号を、デコーダ１３から画像表示部１６へ出力される映像信号に合成する。
音声出力部１５は、例えば音声出力アンプＩＣ１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
【００１９】
リモコン受信部１７は、例えばリモコン２３から送信された各種信号（制御コマンド）を受信し、それら各種信号に基づく各種データをマイコン１８へ出力する。
リモコン２３は、例えばユーザによって操作され、その操作に応じた各種信号を例えば赤外線或いは電波を用いてリモコン受信部１７へ送信する。本実施例では、このリモコン２３はＯＳＤ画像として画面１６ｂ１に表示する文字（メモ）の基になるテキストデータ（文字情報）を入力可能な入力デバイスとして機能する。
図３は、リモコン２３の正面図である。図３において、リモコン２３は、例えば電源のオン／オフ（スタンバイ）を切り替える為の電源キー２３ａ、チャンネル設定や画質設定等の各種設定画面（メニュー画面）を表示する為のメニューキー２３ｂ、チャンネルを選局したり上記テキストデータを入力したりする為の選局／入力キー群２３ｃ、ＯＳＤ画像の表示／非表示を切り替える為の表示切替キー２３ｄ、上記テキストデータの入力を開始する為のメモ入力キー２３ｅ、メニュー画面上での各種設定を決定したり入力中の上記テキストデータを確定する為の決定キー２３ｆ、チャンネルを切り替えたり音量を設定したり画面１６ｂ１上のＯＳＤ画像の表示位置を移動したりする為の方向キー２３ｇを備えている。
【００２０】
マイコン１８は、例えばＣＰＵ１８ａやＲＡＭ１８ｂやＲＯＭ１８ｃなどを有し、液晶テレビジョン装置１００の動作を制御する。例えば、マイコン１８は、リモコン受信部１７で受信した制御コマンドに基づいて電源のオン／オフ、チャンネルの切換え、音量のアップ／ダウン、テキストデータ（文字情報）の入力、ＯＳＤ画像の表示／非表示等を制御する。
ＣＰＵ１８ａは、ＲＯＭ１８ｃに記憶された液晶テレビジョン装置１００用の各種処理プログラムに従って、各種の制御動作を行う。
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
ＲＯＭ１８ｃは、液晶テレビジョン装置１００で実行可能なシステムプログラム、そのシステムプログラムで実行可能な各種処理プログラム、これら各種処理プログラムを実行する際に使用されるデータなどを記憶する。尚、プログラムは、コンピュータが読み取り可能なプログラムコードの形でＲＯＭ１８ｃに記憶されている。
【００２１】
電源回路１９は、例えば部分共振電源回路であり、商用ＡＣ電源を複数種類の所定の電圧に変換して液晶テレビジョン装置１００の各部へ動作電源電圧を出力する。
記憶部２０は、例えばＥＥＰＲＯＭ等の不揮発性半導体メモリで構成されており、放送信号に対応するチャンネル情報、ユーザにより設定された各種調整値、各種ＯＳＤ画像等を記憶する。
【００２２】
（２）ＯＳＤ画像の表示作動
また、本実施例においては、マイコン１８は、映像信号に基づく画像の表示中に、ユーザによるリモコン２３の操作により入力されたテキストデータをＯＳＤ画像として画面１６ｂ１に表示するＯＳＤ表示手段を機能的に備えている。
図４は、映像の視聴中にテキストデータに基づくＯＳＤ画像を表示させる制御作動を示すフローチャートであり、マイコン１８が有する機能として実現される。
図４において、先ず、リモコン２３のメモ入力キー２３ｅが押し下げ操作されたか否かが判断される（ステップＳ１０）。メモ入力キー２３ｅが押し下げ操作されずステップＳ１０の判断が否定される場合は本ルーチンが終了させられるが、メモ入力キー２３ｅが押し下げ操作されてステップＳ１０の判断が肯定される場合は、リモコン２３の選局／入力キー群２３ｃのユーザ操作によるテキストデータの入力が受け付けられる。この際、例えばメモ入力キー２３ｅが再び押し下げ操作されるとテキストデータの入力の受付が解除（キャンセル）されて本ルーチンが終了させられる（ステップＳ２０）。ステップ２０にてテキストデータが入力され決定キー２３ｆが押し下げ操作されると、入力されたテキストデータがＯＳＤ画像データに変換され、所定の画像形式にて記憶部２０に保存される（ステップＳ３０）。次いで、図５の画面１６ｂ１に示すように、映像の視聴中にテキストデータに基づくＯＳＤ画像が表示される（ステップＳ４０）。
これにより、画像の視聴中に画面１６ｂ１上にメモを表示（記録）することができる。例えば、映像の視聴中に気になったことや疑問に思ったことなどを画面１６ｂ１上にメモとして残すことができる。
【００２３】
（３）変形例
マイコン１８は、上記ＯＳＤ画像の表示位置を移動可能にしても良い。例えば、マイコン１８は、ＯＳＤ画像の表示中にリモコン２３の方向キー２３ｇがユーザ操作されたことにより、その方向キー２３ｇの操作に従ってＯＳＤ画像の表示位置を移動する。これにより、例えばユーザは視聴している画像に影響しない位置にＯＳＤ画像を移動することができる。
【００２４】
また、マイコン１８は、複数種類のテキストデータを各々ＯＳＤ画像データに変換して記憶し、複数種類のテキストデータに基づく各ＯＳＤ画像を選択的に表示可能にしても良い。例えば、マイコン１８は、入力されたテキストデータをＯＳＤ画像データに変換し、最も古いＯＳＤ画像データを更新するように所定の数だけ記憶部２０に保存する。例えば、メモ１、メモ２、メモ３・・・として記憶部２０に保存する。そして、選局／入力キー群２３ｃや表示切替キー２３ｄ等のユーザ操作により選択されたＯＳＤ画像データを表示する。これにより、画像の視聴中に複数のメモを記録し、選択的に表示することができる。尚、複数選択できるようにし、選択されたいずれものＯＳＤ画像データを表示しても良い。
【００２５】
更に、マイコン１８は、ユーザによるリモコン２３の操作によりＯＳＤ画像の表示と非表示とを切り替える表示切替手段を機能的に備えても良い。例えば、マイコン１８は、リモコン２３の表示切替キー２３ｄが押し下げ操作される毎にＯＳＤ画像の表示と非表示とを切り替える。これにより、例えばユーザの好みに応じて画面上のメモを表示したり非表示にしたりできる。
【００２６】
更に、マイコン１８は、ＯＳＤ画像を所定の画像形式にて図示しない外部記憶装置に保存する外部保存手段を機能的に備えても良い。例えば、液晶テレビジョン装置１００は、例えば良く知られたＵＳＢメモリ等の外部記憶装置と接続可能な接続端子（例えばＵＳＢ端子）を備える。マイコン１８は、メニューキー２３ｂ等のユーザ操作に従って、記憶部２０に保存したＯＳＤ画像データを外部記憶装置に保存（コピー／移動）する。または、ＵＳＢメモリが接続されたことによりＯＳＤ画像データを外部記憶装置に保存しても良い。これにより、画面上に表示したメモを外部記憶装置に保存して持ち出すことができる。
【００２７】
（４）まとめ
上述のように、本実施例によれば、画像の視聴中に画面１６ｂ１上にメモを表示（記録）することができので、利便性を向上することができる。
また、本実施例によれば、例えばユーザの好みに応じて画面１６ｂ１上のメモを表示したり非表示にしたりできるので、より利便性が向上させられる。
また、本実施例によれば、画面１６ｂ１上に記録したメモを外部記憶装置に保存して持ち出すことができるので、例えばパソコンやプリンタ等の他の機器にて活用（印刷）することができ、より利便性が向上させられる。
また、本実施例によれば、画像の視聴中に複数のメモを記録し、選択的に表示することができるので、より利便性が向上させられる。
また、本実施例によれば、例えばユーザは視聴している画像に影響しない位置にＯＳＤ画像を移動することができるので、より利便性が向上させられる。
【００２８】
以上、本発明の実施例を図面に基づいて詳細に説明したが、本発明はその他の態様においても適用される。
【００２９】
例えば、前述の実施例では、入力デバイスとしてリモコン２３を例示したが、テキストデータの入力が行える機器であれば良く、例えば良く知られたキーボード等の入力機器であっても良い。
また、前述の実施例では、方向キー２３ｇの操作によりＯＳＤ画像の表示位置を移動可能にしたが、例えば画面１６ｂ１にタッチパネル機能が備えられている場合には、その画面１６ｂ１上でのタッチ操作に従ってＯＳＤ画像の表示位置を移動しても良い。
【００３０】
なお、上述したのはあくまでも一実施形態であり、本発明は当業者の知識に基づいて種々の変更、改良を加えた態様で実施することができる。
【図面の簡単な説明】
【００３１】
【図１】本発明が適用される液晶テレビジョン装置を例示する斜視図である。
【図２】液晶テレビジョン装置の構成を例示するブロック図である。
【図３】リモコンに備えられた各種キーを例示する正面図である。
【図４】ＯＳＤ画像を表示させる制御作動を例示するフローチャートである。
【図５】ＯＳＤ画像が表示された画面を例示する図である。
【符号の説明】
【００３２】
１４：ＯＳＤ回路
１８：マイコン（ＯＳＤ表示手段、表示切替手段、外部保存手段）
２３：リモコン（入力デバイス）
１００：液晶テレビジョン装置（映像出力装置、画像表示装置） 
【図１】
2009290335.tif 000003
【図２】
2009290335.tif 000004
【図３】
2009290335.tif 000005
【図４】
2009290335.tif 000006
【図５】
2009290335.tif 000007